(57)【特許請求の範囲】
【請求項１】
光源と、前記光源から射出された光束を画像情報に応じて変調する光変調装置とを備えたプロジェクターであって、
冷却風を送出する冷却ファンと、
前記冷却風を導き、導いた前記冷却風を前記光変調装置に流出する流出口を有するダクトと、
前記ダクトに形成されるとともに、前記冷却風の流通方向をそれぞれ第１の流通方向から第２の流通方向に屈曲させる第１および第２の分岐壁と、
前記流出口において、前記第１の分岐壁により仕切られて形成された第１の開口部と、
前記流出口において、前記第１および第２の分岐壁により仕切られて形成された第２の開口部と、
前記流出口において、前記第２の分岐壁により仕切られて形成された第３の開口部と、
を備え、
前記第１の分岐壁の前記流出口側の端部から他端までの長さは、前記第２の分岐壁の前記流出口側の端部から他端までの長さより短く、
前記ダクトの前記第１の流通方向端部の内面は、前記第２の流通方向に向かうに従って、前記第２の分岐壁に近づくように傾斜していることを特徴とするプロジェクター。
【請求項２】
請求項１に記載のプロジェクターであって、
前記第１および第２の分岐壁は、前記光変調装置の光束入射側端面に交差するように形成されていることを特徴とするプロジェクター。
【請求項３】
請求項２に記載のプロジェクターであって、
前記第１ないし第３の開口部は、前記第１の流通方向に沿うように配設され、
前記第３の開口部の開口面積は、前記第１および第２の開口部の開口面積より小さく形成され、
前記第３の開口部から流出する前記冷却風の風量が、前記第１および第２の開口部から流出する前記冷却風の風量より小さくなるように形成されていることを特徴とするプロジェクター。
【請求項４】
請求項１〜請求項３のいずれか一項に記載のプロジェクターであって、
前記第１および第２の分岐壁は、分割される前の前記冷却風が流通する空間に侵入するように形成され、
前記第１または第２の分岐壁は、前記空間への侵入量が変更可能に構成されていることを特徴とするプロジェクター。
【請求項５】
請求項１〜請求項４のいずれか一項に記載のプロジェクターであって、
前記第１または第２の分岐壁は、前記第１の流通方向において移動可能に構成されていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光束をスクリーン等の投写面に投写するプロジェクターが知られている。このプロジェクターには、光源からの光束を変調するための光変調装置等の光学部品が備えられている。そして、光変調装置は、光源からの光束が入射することによって発熱して光学特性が低下するため、この光変調装置を冷却するための技術が提案されている（例えば、特許文献１参照）。
【０００３】
特許文献１に記載のプロジェクターは、光変調装置としての液晶パネル、および液晶パネルを冷却する冷却装置を備え、冷却装置は、一対のシロッコファン、およびこの一対のシロッコファンが取り付けられるダクトを有している。ダクトは、シロッコファンから送出された冷却風を水平方向に導いた後、ダクトの上部に設けられた吹き出し孔から流出させ、この冷却風を液晶パネルに送風するように構成されている。
【先行技術文献】
【特許文献】
【０００４】
【特許文献１】特開２００６−７２０１０号公報
【発明の概要】
【発明が解決しようとする課題】
【０００５】
しかしながら、特許文献１に記載の技術では、シロッコファンから送出された冷却風が、ダクト内を水平方向に流通した後、吹き出し孔から流出する際に、ダクトの内面に衝突するため、風速や風向が乱れて流出することが考えられる。吹き出し孔から流出する冷却風の風速や風向が乱れると、この冷却風が液晶パネルから逸れたり、液晶パネルの一部に偏って送風されたりする恐れがあり、液晶パネルの効率的な冷却が難しいという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光束を画像情報に応じて変調する光変調装置とを備えたプロジェクターであって、冷却風を送出する冷却ファンと、前記冷却風を導き、導いた前記冷却風を前記光変調装置に流出する流出口を有するダクトと、を備え、前記流出口には、前記ダクト内を流通する前記冷却風を分割し、分割した前記冷却風の流通方向をそれぞれ第１の流通方向から第２の流通方向に屈曲させる分岐壁が設けられていることを特徴とする。
【０００８】
この構成によれば、ダクトの流出口には、分岐壁が設けられ、分岐壁は、ダクト内を流通する冷却風を分割し、分割した冷却風の流通方向をそれぞれ屈曲させるように構成されている。これによって、流出口に分岐壁が設けられず、ダクト内を流通する冷却風を全体的に流通方向を屈曲させて流出させる構成に比べ、流出口から流出する冷却風の風速や風向の乱れを抑制することが可能となる。
すなわち、流出口に分岐壁が設けられていない構成の場合、ダクト内を流通する冷却風が全体的にダクトの内面に衝突して流出するため、流出口から流出する冷却風は、風速や風向が乱れて流出することとなるが、分岐壁を有する構成の場合、分岐壁およびダクトの内面に分散して衝突することとなり、流出口から流出する冷却風の風速や風向の乱れを抑制することが可能となる。よって、流出口から流出する冷却風を有効に光変調装置に送風し、光変調装置の効率的な冷却が可能となる。特に、冷却ファンと光変調装置とが近接して配置される構成の場合、分岐壁を備えない構成においては、流出口における風速や風向の乱れが著しくなるため、効果が顕著となる。
【０００９】
また、光変調装置とダクトとが重ねて配置され、冷却ファンが光変調装置の近傍に配置されても、光変調装置の効率的な冷却が可能なので、プロジェクター内のスペースを有効に利用して、ダクトの形成、および冷却ファンの配置が可能となる。
したがって、プロジェクターは、小型化が図られつつ、長期に亘って画質の劣化を抑制した投写が可能となる。また、冷却ファンからの冷却風を有効に利用できるので、冷却ファンを低速回転できることによる低騒音化が図れる。
【００１０】
［適用例２］上記適用例に係るプロジェクターにおいて、前記流出口は、前記分岐壁によって仕切られた複数の開口部を有し、前記複数の開口部は、前記第１の流通方向に沿うように配設され、最も下流側の開口部から流出する前記冷却風の風量が他の開口部から流出する前記冷却風の風量より小さくなるように形成されていることが好ましい。
【００１１】
この構成によれば、複数の開口部は、分割される前の冷却風の流通方向（第１の流通方向）に沿うように配設されている。そして、最も下流側の開口部から流出する冷却風の風量は、他の開口部から流出する冷却風の風量より小さくなる。これによって、最も下流側に位置する開口部から流出する冷却風が第１の流通方向に流通する勢いで流出口の下流側、つまり、光変調装置から離間する方向に向かうことを抑制することが可能となる。よって、流出口から流出する冷却風をさらに有効に光変調装置に送風し、光変調装置の効率的な冷却が可能となる。
【００１２】
［適用例３］上記適用例に係るプロジェクターにおいて、前記分岐壁は、分割される前の前記冷却風が流通する空間に侵入するように形成され、前記空間への侵入量が変更可能に構成されていることが好ましい。
【００１３】
この構成によれば、分岐壁の侵入量を大きくすることで、この分岐壁の上流側により多くの風量の冷却風を流通させ、侵入量を小さくすることでこの分岐壁の下流側により多くの風量の冷却風を流通させることが可能となる。よって、分割する冷却風の風量や風速を調整することができるので、光変調装置の位置や、冷却ファンの送風能力等に対応して光変調装置を効率的に冷却することが可能となる。
【００１４】
［適用例４］上記適用例に係るプロジェクターにおいて、前記分岐壁は、前記第１の流通方向において移動可能に構成されていることが好ましい。
【００１５】
この構成によれば、分岐壁を第１の流通方向に移動させることで、分岐壁の上流側および下流側において、分割された冷却風が流通する流路の大きさを変更することができる。よって、各流路に流通させる冷却風の風量や風速を調整することができるので、光変調装置の位置や、冷却ファンの送風能力等に対応して光変調装置を効率的に冷却することが可能となる。
【図面の簡単な説明】
【００１６】
【図１】本実施形態のプロジェクターの概略構成を示す模式図。
【図２】本実施形態の光学装置および冷却装置を示す斜視図。
【図３】本実施形態の冷却ファン、およびダクトを下方斜めから見た斜視図。
【図４】本実施形態の光学装置および冷却装置の一部を示す斜視図。
【図５】本実施形態の光変調装置および光変調装置近傍の冷却装置を後方から見た断面図。
【発明を実施するための形態】
【００１７】
以下、本実施形態に係るプロジェクターについて、図面を参照して説明する。
本実施形態のプロジェクターは、光源から射出された光束を画像情報に応じて変調してスクリーン等に拡大投写する。
【００１８】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、および冷却装置７を備えている。なお、図示は省略するが、外装筐体２の内部には、さらに、光源装置３１や制御部に電力を供給する電源装置等が配置されている。
【００１９】
外装筐体２は、詳細な説明は省略するが、上部を構成する上ケース、下部を形成する下ケース等を有し、これらは、ネジ等により固定されている。そして、外装筐体２には、外気を取り込むための吸気口、および外装筐体２内部の温まった空気を外部に排気する排気口等が設けられている。なお、吸気口には、図示しない防塵フィルターが配置されており、外気に混入している塵埃の外装筐体２内への侵入を抑制するように構成されている。
【００２０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置７に備えられた冷却ファンの駆動等の制御を行う。
【００２１】
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、光学装置４、投写レンズ３６、およびこれらの部材を光路上の所定位置に配置する光学部品用筐体３８を備えている。
【００２２】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向、投写レンズ３６から光束が射出される方向を＋Ｙ方向（前側）、プロジェクター１が机上等に据え置かれた据置姿勢における上方を＋Ｚ方向（上側）として記載する。
【００２３】
光源装置３１は、超高圧水銀ランプやメタルハライドランプ等からなる放電型の光源３１１およびリフレクター３１２等を備える。光源装置３１は、光源３１１から射出された光束をリフレクター３１２によって射出方向を揃え、インテグレーター照明光学系３２に向けて射出する。
【００２４】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学部材であり、光源装置３１から射出された光束の光軸Ｌに対して略直交する面内にマトリックス状に配列される複数の小レンズを備えている。
【００２５】
第２レンズアレイ３２２は、第１レンズアレイ３２１と略同様の構成を有しており、重畳レンズ３２４とともに、第１レンズアレイ３２１から射出された部分光束を後述する液晶パネルの表面に重畳させる。
偏光変換素子３２３は、第２レンズアレイ３２２から射出されたランダム光を液晶パネルで利用可能な略１種類の偏光光に揃える機能を有する。
【００２６】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２７】
リレー光学系３４は、入射側レンズ３４１、リレーレンズ３４３、および反射ミラー３４２，３４４を備え、色分離光学系３３で分離されたＲ光をＲ光用の液晶パネルまで導く機能を有する。なお、光学ユニット３は、リレー光学系３４がＲ光を導く構成としているが、これに限らず、例えば、Ｂ光を導く構成としてもよい。
【００２８】
図２は、光学装置４および冷却装置７を示す斜視図である。
光学装置４は、図１、図２に示すように、Ｒ光、Ｇ光、Ｂ光の各色光用に設けられた電気光学装置５（Ｒ光用の電気光学装置を５Ｒ、Ｇ光用の電気光学装置を５Ｇ、Ｂ光用の電気光学装置を５Ｂとする）、および色合成光学装置としてクロスダイクロイックプリズム４１を備えている。光学装置４は、色分離光学系３３で分離された各色光を画像情報に応じて変調し、変調した各色光を合成する。
【００２９】
各電気光学装置５は、図１に示すように、入射側偏光板５１、光変調装置５２（Ｒ光用の光変調装置を５２Ｒ、Ｇ光用の光変調装置を５２Ｇ、Ｂ光用の光変調装置を５２Ｂとする）、射出側偏光板５４、および光変調装置５２を保持する保持部材６、取付部材６４（いずれも図２参照）を備えている。
【００３０】
入射側偏光板５１は、色分離光学系３３で分離された各色光のうち、偏光変換素子３２３で揃えられた偏光光を透過し、その偏光光と異なる偏光光を吸収して光変調装置５２に射出する。入射側偏光板５１は、図示しない透明基材に貼付され、光学部品用筐体３８に取り付けられる。
【００３１】
光変調装置５２は、詳細な図は省略するが、一対の透明なガラス基板に液晶が密閉封入された液晶パネルを備え、微小画素がマトリックス状に形成された矩形状の画素領域を有している。光変調装置５２は、保持部材６に外周部が保持され、フレキシブル基板５２Ｆ（図２参照）を介して制御部に接続されている。
光変調装置５２は、制御部から入力された駆動信号に応じて液晶の配向状態が制御され、入射する色光を画像情報に応じて変調する。
【００３２】
取付部材６４は、詳細な説明は省略するが、複数の板金から構成され、保持部材６に保持された光変調装置５２、および透明基材に貼付された射出側偏光板５４をクロスダイクロイックプリズム４１に固定するために用いられる。
保持部材６に保持された光変調装置５２は、図２に示すように、フレキシブル基板５２Ｆが上側となるように配置され、取付部材６４を介してクロスダイクロイックプリズム４１に取り付けられる。
【００３３】
射出側偏光板５４は、入射側偏光板５１と略同様の機能を有し、光変調装置５２にて変調された色光のうち一定方向の偏光光を透過し、その偏光光と異なる偏光光を吸収してクロスダイクロイックプリズム４１に射出する。射出側偏光板５４は、詳細な説明は省略するが、図示しない透明基材に貼付され、取付部材６４（図２参照）を介してクロスダイクロイックプリズム４１に固定される。
【００３４】
クロスダイクロイックプリズム４１は、４つの直角プリズムを貼り合わせた平面視略正方形状をなし、各電気光学装置５が対向して配置される３つの光束入射側端面を有している。そして、クロスダイクロイックプリズム４１は、直角プリズム同士を貼り合わせた界面に、２つの誘電体多層膜が形成されている。クロスダイクロイックプリズム４１は、誘電体多層膜が電気光学装置５Ｒ，５Ｂから射出された色光を反射し、電気光学装置５Ｇから射出された色光を透過して、各色光を合成する。
【００３５】
投写レンズ３６は、複数のレンズを組み合わせた組レンズとして構成され、クロスダイクロイックプリズム４１にて合成された光をスクリーン上に拡大投写する。
【００３６】
冷却装置７は、図２に示すように、吸気ダクト７１、３つの冷却ファン７２Ｒ，７２Ｇ，７２Ｂ、およびダクト８を備えている。冷却装置７は、冷却ファン７２Ｒ，７２Ｇ，７２Ｂの駆動により外装筐体２の吸気口から防塵フィルターを介して外気を取り込み、取り込んだ外気を吸気ダクト７１によって冷却ファン７２Ｒ，７２Ｇ，７２Ｂに導く。そして、冷却装置７は、冷却ファン７２Ｒ，７２Ｇ，７２Ｂが取り込んだ外気を冷却風として送出し、この冷却風をダクト８によって電気光学装置５および偏光変換素子３２３に導いて、これらの部材を冷却する。
【００３７】
〔冷却装置の構成および冷却風の流れ〕
ここで、冷却装置７について詳細に説明する。
冷却装置７は、前述したように、吸気ダクト７１、３つの冷却ファン７２Ｒ，７２Ｇ，７２Ｂ、およびダクト８を備えている（図２参照）。
吸気ダクト７１は、外装筐体２の内側から外装筐体２の吸気口を囲む開口部７１１を有している。開口部７１１は、図２に示すように、前後方向（Ｙ方向）が上下方向（Ｚ方向）より長い平面視矩形状に形成されている。吸気ダクト７１は、この開口部７１１が３つの冷却ファン７２Ｒ，７２Ｇ，７２Ｂの各吸入口と連通するように形成されている。吸気ダクト７１は、冷却ファン７２Ｒ，７２Ｇ，７２Ｂが駆動されることにより、防塵フィルターを介して流入する外装筐体２外部の空気を開口部７１１から冷却ファン７２Ｒ，７２Ｇ，７２Ｂの各吸入口に導く。
【００３８】
図３は、冷却ファン７２Ｒ，７２Ｇ，７２Ｂ、およびダクト８を下方斜めから見た斜視図である。
冷却ファン７２Ｒ，７２Ｇ，７２Ｂは、図３に示すように、略円柱状の形状を有し、厚み寸法が略円柱状の外形寸法より小さなシロッコファンで構成されている。冷却ファン７２Ｒ，７２Ｇ，７２Ｂは、それぞれが空気を吸入する吸入口７２１（冷却ファン７２Ｇ，７２Ｂの吸入口は図示省略）、および吸入された空気を送出する送出口７２２を有し、吸入した空気を冷却風として送出する。
【００３９】
冷却ファン７２Ｇは、図２に示すように、電気光学装置５Ｒの＋Ｘ側で、光学ユニット３の下方となる位置で、厚み方向が上下方向に沿うように配置（横置き配置）される。冷却ファン７２Ｂは、光学装置４の前方（＋Ｙ側）で、投写レンズ３６の下方となる位置で横置き配置される。そして、冷却ファン７２Ｒは、冷却ファン７２Ｂの＋Ｘ側で、投写レンズ３６の側方となる位置で、厚み方向がＸ方向に沿うように配置（縦置き配置）される。
【００４０】
このように、冷却ファン７２Ｒ，７２Ｂは、冷却ファン７２Ｒが、投写レンズ３６の側方となる位置で縦置き配置され、冷却ファン７２Ｂが投写レンズ３６の下方となる位置で横置き配置されることにより、投写レンズ３６周囲のデッドスペースになりがちなスペースを有効に利用して配置されている。
【００４１】
冷却ファン７２Ｒは、電気光学装置５Ｒ，５Ｇを主に冷却するためのファンである。冷却ファン７２Ｒは、図３に示すように、吸入口７２１が＋Ｘ側、つまり外装筐体２の吸気口側（投写レンズ３６とは反対側）を向き、送出口７２２が後方（−Ｙ側）を向くように配置され、図２に示すように、吸気ダクト７１の−Ｘ側にネジ固定される。
【００４２】
冷却ファン７２Ｇは、電気光学装置５Ｇを主に冷却するためのファンである。冷却ファン７２Ｇは、図３に示すように、吸入口（図示省略）が上方（＋Ｚ側）を向き、送出口７２２が−Ｘ側（電気光学装置５Ｒ側）を向くように配置され、ダクト８にネジ固定される。また、冷却ファン７２Ｇは、送出口７２２が電気光学装置５Ｒの近傍に位置するように配置される。
【００４３】
冷却ファン７２Ｂは、電気光学装置５Ｂ、および偏光変換素子３２３を主に冷却するためのファンである。冷却ファン７２Ｂは、図３に示すように、吸入口（図示省略）が上方（＋Ｚ側）を向き、送出口７２２が後方（−Ｙ側）を向くように配置され、図２に示すように、ダクト８にネジ固定される。
【００４４】
ダクト８は、冷却ファン７２Ｒ，７２Ｇ，７２Ｂから送出された冷却風を電気光学装置５Ｒ，５Ｇ，５Ｂおよび偏光変換素子３２３に導く機能を有している。
ダクト８は、図２に示すように、吸気ダクト７１の−Ｘ側から冷却ファン７２Ｒ，７２Ｇ，７２Ｂの吸入口７２１を囲んで光学装置４の下方（−Ｚ側）に延出して形成され、外装筐体２の下ケース（図示省略）に固定される。
【００４５】
ダクト８は、外装筐体２の下ケースとで複数の流路を形成している。
ダクト８は、図３に示すように、冷却ファン７２Ｒから送出された冷却風が流通する第１流路８１、冷却ファン７２Ｇから送出された冷却風が流通する第２流路８２、および冷却ファン７２Ｂから送出された冷却風が流通する第３流路８３を有している。
【００４６】
第１流路８１は、冷却ファン７２Ｒの送出口７２２から冷却ファン７２Ｇと冷却ファン７２Ｂとの間を通り、電気光学装置５Ｒおよび電気光学装置５Ｇの下方に延出して形成されている。また、第１流路８１には、冷却ファン７２Ｒから送出された冷却風を分岐させる壁部８１１が形成されている。壁部８１１は、冷却ファン７２Ｒの送出口７２２の近傍から電気光学装置５Ｒの下方に延出して形成されている。
第１流路８１は、この壁部８１１が形成されることにより、冷却ファン７２Ｇ側に位置する分岐流路８１Ｒ、および冷却ファン７２Ｂ側に位置する分岐流路８１Ｇが形成されている。
【００４７】
分岐流路８１Ｒの下流側端部、つまり、壁部８１１の端部近傍には、分岐流路８１Ｒを流通した冷却風が流出する流出口８１２，８１３（図２参照）が形成され、第１流路８１の下流側端部には、第１流路８１を流通した冷却風が流出する流出口（図示省略、以下「第１流路端部流出口」という）が形成されている。
流出口８１２，８１３は、図２に示すように、縁部が上方に突出して形成されている。そして、流出口８１２は、光変調装置５２Ｒの下方に位置し、流出口８１３は、電気光学装置５Ｒに備えられた射出側偏光板５４の下方に位置するように形成されている。そして、第１流路端部流出口は、電気光学装置５Ｇに備えられた射出側偏光板５４の下方に位置するように形成されている。
【００４８】
そして、冷却ファン７２Ｒから送出された冷却風は、図３に示すように、第１流路８１を流れ、壁部８１１によって分岐されて分岐流路８１Ｒ，８１Ｇを流通する。
分岐流路８１Ｒを流通する冷却風は、一部が流出口８１２，８１３（図２参照）からダクト８の上方に流出し、残りの冷却風は、第１流路端部流出口に向かう。
そして、流出口８１２から流出した冷却風は、光変調装置５２Ｒ、および電気光学装置５Ｒの入射側偏光板５１を主に冷却し、流出口８１３から流出した冷却風は、電気光学装置５Ｒの射出側偏光板５４を主に冷却する。
【００４９】
分岐流路８１Ｇを流通する冷却風は、分岐流路８１Ｒから第１流路端部流出口に向かう冷却風と合流し、第１流路端部流出口からダクト８の上方に流出する。そして、第１流路端部流出口から流出した冷却風は、電気光学装置５Ｇの射出側偏光板５４を主に冷却する。
【００５０】
図４は、光学装置４および冷却装置７の一部を示す斜視図である。
第２流路８２は、図３に示すように、冷却ファン７２Ｇの送出口７２２から電気光学装置５Ｇ（図２参照）の下方に延出して形成されている。そして、第２流路８２の下流側端部には、図４に示すように、光変調装置５２Ｇの下方に位置し、第２流路８２を流通した空気が流出する流出口９が形成されている。後で詳細に説明するが、流出口９は、図４に示すように、分岐壁１０Ａ，１０Ｂによって仕切られた開口部９１，９２，９３で構成されている。
【００５１】
第３流路８３は、図３に示すように、冷却ファン７２Ｂの送出口７２２から電気光学装置５Ｂの下方を経て、偏光変換素子３２３の下方に延出して形成されている。そして、第３流路８３には、この第３流路８３を流通した空気が流出する流出口８３１，８３２，８３３（図２参照）が形成されている。
【００５２】
流出口８３１，８３２は、図２に示すように、縁部が上方に突出して形成されている。そして、流出口８３１は、光変調装置５２Ｂの下方に位置し、流出口８３２は、電気光学装置５Ｂに備えられた射出側偏光板５４の下方に位置するように形成されている。
流出口８３３は、偏光変換素子３２３の下方に位置するように形成されており、図２に示すように、縁部が上方に突出し、内面は偏光変換素子３２３に効率良く冷却風が送風されるような傾斜面を有して形成されている。
【００５３】
冷却ファン７２Ｂから送出された冷却風は、図３に示すように、第３流路８３に流れ、流出口８３１，８３２，８３３（図２参照）からダクト８の上方に流出する。
そして、流出口８３１から流出した冷却風は、光変調装置５２Ｂ、および電気光学装置５Ｂの入射側偏光板５１を主に冷却し、流出口８３２から流出した冷却風は、電気光学装置５Ｂの射出側偏光板５４を主に冷却する。そして、流出口８３３から流出した冷却風は、偏光変換素子３２３を冷却する。
【００５４】
ここで、光変調装置５２Ｇの下方に位置する流出口９について詳細に説明する。
図５は、光変調装置５２Ｇ、および光変調装置５２Ｇ近傍の冷却装置７を後方から見た断面図である。
流出口９は、図４、図５に示すように、また、前述したように、分岐壁１０Ａ，１０Ｂによって仕切られた開口部９１，９２，９３で構成されている。
分岐壁１０Ａ，１０Ｂは、第２流路８２を流通し、流出口９に向かう方向（第１の流通方向）に流れる冷却風１００を分割し、分割した冷却風の流通方向をそれぞれ屈曲させることにより、この冷却風１００を分岐させる。そして、開口部９１，９２，９３は、分岐壁１０Ａ，１０Ｂによって分岐された冷却風１１０を流出する。
【００５５】
分岐壁１０Ａ，１０Ｂは、板状に形成され、光変調装置５２Ｇの光束入射側端面に対して交差するように形成され、開口部９１，９２，９３は、光変調装置５２Ｇの光束入射側端面に沿うように順次配設されることとなる。また、開口部９１，９２，９３は、第１の流通方向に沿うように、上流側から下流側に順次並設されている。つまり、開口部９３は、第１の流通方向において、開口部９１，９２，９３のうち、最も下流側に形成されている。
【００５６】
分岐壁１０Ａは、図５に示すように、開口部９１と開口部９２とを仕切るように形成され、分岐壁１０Ｂは、開口部９２と開口部９３とを仕切るように形成されている。
開口部９１，９２，９３は、平面視矩形状に形成され、開口部９３の−Ｘ側の内面９Ｒは、図５に示すように、下方から上方に向かう程、つまり光変調装置５２Ｇに向かう程＋Ｘ側となるように傾斜して形成されている。そして、開口部９３の開口面積は、他の開口部９１，９２の開口面積より小さくなるように形成されている。つまり、分岐壁１０Ａ，１０Ｂは、開口部９３を流通する冷却風１１３の風量が開口部９１，９２を流通する冷却風１１１，１１２の風量より小さくなるように流出口９を仕切るように形成されている。
【００５７】
また、分岐壁１０Ａ，１０Ｂは、図５に示すように、分割される前の冷却風１００が流通する空間に侵入するように形成されており、分岐壁１０Ａと分岐壁１０Ｂとでは、この空間への侵入量が異なって形成されている。
具体的に、侵入量は、冷却ファン７２Ｇの送出口７２２近傍のダクト８上側の内面９Ｕから分岐壁１０Ａ，１０Ｂそれぞれの下方端部までの長さ（侵入長さ）であり、図５に示すように、分岐壁１０Ａの侵入長さ１０Ａｔは、分岐壁１０Ｂの侵入長さ１０Ｂｔより短く形成されている。すなわち、分岐壁１０Ａ，１０Ｂは、冷却風１００の流れに対し、侵入長さ１０Ａｔの短い分岐壁１０Ａが、侵入長さ１０Ｂｔの長い分岐壁１０Ｂより上流に形成される。
分岐壁１０Ａ，１０Ｂは、侵入長さが異なることにより、冷却ファン７２Ｇから送出された冷却風１００を２段階に亘って分岐させる。
【００５８】
次に、冷却ファン７２Ｇから送出された冷却風１００の流れについて説明する。
冷却ファン７２Ｇから送出され、第１の流通方向に流通する冷却風１００は、図５に示すように、第２流路８２を流れる。そして、第２流路８２を流れる冷却風１００は、流通する位置に応じて分岐壁１０Ａ，１０Ｂによって分岐され、冷却風１１０として開口部９１，９２，９３から流出する。
【００５９】
具体的に、第２流路８２内における上側を流れた冷却風１００は、分岐壁１０Ａに衝突して流通方向が上方（第２の流通方向）に屈曲されて開口部９１から流出する（冷却風１１１）。そして、開口部９１から流出した冷却風１１１は、光変調装置５２Ｇの下方から光変調装置５２Ｇの＋Ｘ側に送風される。
分岐壁１０Ａの下方を流れた冷却風１００のうちの上側の冷却風１００は、分岐壁１０Ｂに衝突して流通方向が第２の流通方向に屈曲されて開口部９２から流出する（冷却風１１２）。そして、開口部９２から流出した冷却風１１２は、光変調装置５２Ｇの下方から光変調装置５２Ｇの略中央に送風される。
【００６０】
分岐壁１０Ｂの下方を流れた冷却風１００は、開口部９３の−Ｘ側の内面９Ｒに衝突して流通方向が第２の流通方向に屈曲されて開口部９３から流出する（冷却風１１３）。そして、開口部９３から流出した冷却風１１３は、光変調装置５２Ｇの下方から光変調装置５２Ｇの−Ｘ側に送風される。また、開口部９３は、前述したように、開口面積が他の開口部９１，９２の開口面積より小さくなるように形成されているので、冷却風１１３の風量は、冷却風１１１，１１２の風量より小さくなる。
【００６１】
このように、冷却ファン７２Ｇから送出され、第１の流通方向に流通する冷却風１００は、分岐壁１０Ａ，１０Ｂによって分割され、分割された冷却風１１１，１１２，１１３は、流通方向が第２の流通方向に屈曲されて開口部９１，９２，９３から流出する。そして、開口部９１，９２，９３から流出した冷却風１１０は、光変調装置５２Ｇに送風され、光変調装置５２Ｇを冷却する。
【００６２】
以上説明したように、本実施形態のプロジェクター１によれば、以下の効果を得ることができる。
（１）ダクト８の流出口９には、分岐壁１０Ａ，１０Ｂが設けられ、冷却ファン７２Ｇから送出された冷却風１００は、分岐壁１０Ａ，１０Ｂによって分割され、流通方向が屈曲されて開口部９１，９２，９３から流出する。これによって、流出口９から流出する冷却風１１０の風速や風向の乱れを抑制することが可能となる。特に、冷却ファン７２Ｇと光変調装置５２Ｇとが近接して配置されることによる、第１の流通方向に向かおうとする勢いが強い冷却風１００を分割するので、分割された冷却風１１０の流出口９における風速や風向の乱れを効果的に抑制することが可能となる。よって、流出口９から流出する冷却風１１０を有効に光変調装置５２Ｇに送風し、光変調装置５２Ｇの効率的な冷却が可能となる。
【００６３】
また、冷却ファン７２Ｇが光変調装置５２Ｇの近傍に配置されても、光変調装置５２Ｇの効率的な冷却が可能なので、プロジェクター１内のスペースを有効に利用して、ダクト８の形成、および冷却ファン７２Ｇの配置が可能となる。
したがって、プロジェクター１は、小型化が図られつつ、長期に亘って画質の劣化を抑制した投写が可能となる。また、冷却ファン７２Ｇからの冷却風１００を有効に利用できるので、冷却ファン７２Ｇを低速回転できることによる低騒音化が図れる。
【００６４】
（２）開口部９３は、開口部９３から流出する冷却風１１３の風量が、開口部９１，９２から流出する冷却風１１１，１１２の風量より小さくなるように形成されている。これによって、光変調装置５２Ｇの下方から光変調装置５２Ｇの−Ｘ側に送風される冷却風１１３が冷却風１００の勢いによって、光変調装置５２Ｇから離間する方向に向かうことを抑制することが可能となる。よって、流出口９から流出する冷却風１１０をさらに有効に光変調装置５２Ｇに送風し、光変調装置５２Ｇの効率的な冷却が可能となる。
【００６５】
（３）冷却装置７は、第１流路８１、第２流路８２、第３流路８３にそれぞれに冷却風を送出する冷却ファン７２Ｒ，７２Ｇ，７２Ｂを備えている。これによって、光束の入射に伴って上昇する温度が異なる光変調装置５２Ｒ，５２Ｇ，５２Ｂそれぞれに対応して、各流路に流通させる冷却風の風速や風量等を容易に制御することが可能となる。よって、各冷却ファン７２Ｒ，７２Ｇ，７２Ｂの選定やそれらの駆動電圧、各流路の形状等の設定が容易となる。
【００６６】
（変形例）
なお、前記実施形態は、以下のように変更してもよい。
侵入長さ１０Ａｔ，１０Ｂｔが変更可能となるように、分岐壁１０Ａ，１０Ｂを移動できるように構成してもよい。
【００６７】
開口部９１，９２，９３の開口面積が変更可能となるように、分岐壁１０Ａ，１０Ｂを第１の流通方向において移動できるように構成してもよい。
【００６８】
前記実施形態では、分岐壁が２つで構成されているが、１つでも３つ以上で構成してもよい。
【００６９】
分岐壁１０Ａや分岐壁１０Ｂの一部を削除し、開口部９１と開口部９２との間や、開口部９２と開口部９３との間で冷却風の一部が流通可能となるように構成してもよい。
また、分岐壁を取付部材６４等の部材で構成してもよい。
【００７０】
前記実施形態では、光変調装置５２Ｇに冷却風を流出する流出口９に分岐壁１０Ａ，１０Ｂが設けられる構成としているが、他の光変調装置５２Ｒ，５２Ｂに冷却風を流出する流出口８１２，８３１に分岐壁を設ける構成としてもよい。
【００７１】
前記実施形態の開口部９１，９２，９３は、光変調装置５２Ｇの光束入射側端面に沿うように配設されているが、流出口に設けられた複数の開口部が光変調装置５２Ｇの光束入射側端面に対し交差する方向に沿うように配設されるように分岐壁を形成し、この複数の開口部から流出された冷却風が光変調装置５２に加え、入射側偏光板５１や射出側偏光板５４に送風されるように構成してもよい。
【００７２】
冷却装置７は、３つの冷却ファン７２Ｒ，７２Ｇ，７２Ｂを備えて構成されているが、冷却ファンは、３つに限らず、２つ以下あるいは４つ以上で構成してもよい。また、冷却ファンは、シロッコファンに限らず軸流ファンで構成してもよく、シロッコファンと軸流ファンとを組み合わせて構成してもよい。
【００７３】
前記実施形態の光変調装置５２は、透過型の液晶パネルを有して構成されているが、反射型液晶パネルを利用したものであってもよい。
【００７４】
光源３１１は放電型のランプに限らず、その他の方式のランプや発光ダイオード等の固体光源で構成してもよい。
【符号の説明】
【００７５】
１…プロジェクター、２…外装筐体、３…光学ユニット、７…冷却装置、８…ダクト、９…流出口、１０Ａ，１０Ｂ…分岐壁、３１…光源装置、５２，５２Ｂ，５２Ｇ，５２Ｒ…光変調装置、７２Ｂ，７２Ｇ，７２Ｒ…冷却ファン、９１，９２，９３…開口部、１００，１１０，１１１，１１２，１１３…冷却風、３１１…光源。
【図１】
0005900008.tif 000002
【図２】
0005900008.tif 000003
【図３】
0005900008.tif 000004
【図４】
0005900008.tif 000005
【図５】
0005900008.tif 000006